Podtech/llm-jp-corpus-v4-ja_patent huggingface dataset:
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
患者のパラメータの収集時間間隔を含む時間を示すトレンド表示ディスプレイにおいて、患者の医療パラメータ・データを表示するユーザ・インターフェース・システムを提供するシステムであって、
患者モニタ装置から、特定の患者のいる複数の治療室のうちの一治療室毎の表示情報を含む特定の患者のパラメータを表すデータの収集をするための収集プロセッサと、
前記収集をした患者のパラメータについて決定されたタイプに応じて、複数の治療室のうちの一治療室毎に個々に関連する複数のテンプレート・ディスプレイ・フォームのうちの一つで、予め定められた複数の異なるテンプレート・ディスプレイ・フォームから、あるテンプレート・ディスプレイ・フォームの選択をするための選択プロセッサと、
前記選択されたテンプレート・ディスプレイ・フォームのうちの、前記収集をした患者のパラメータをトレンド表示ディスプレイに表示するデータを生成するためのデータ・プロセッサと、を含むシステム。
【請求項２】
前記選択プロセッサは、前記収集をした患者のパラメータについて前記決定されたタイプに基づいて、前記複数の異なる治療室から、ある治療室の識別をし、
前記識別をした治療室に関連した前記複数のテンプレート・ディスプレイ・フォームから前記特定の患者のパラメータと関連する前記複数のテンプレート・ディスプレイ・フォームを選択し、
前記選択プロセッサは、患者の識別子を使用している前記識別をした治療室に関連する前記複数のテンプレート・ディスプレイ・フォームから、前記特定の患者に関連する前記テンプレート・ディスプレイ・フォームを自動的に選択する、請求項１に記載のユーザ・インターフェース・システム。
【請求項３】
前記収集プロセッサは、患者モニタ装置から、前記特定の患者の複数のパラメータを示すデータを収集し、
前記選択プロセッサは、前記収集をした複数の患者のパラメータについて決定されたタイプに基づいて、前記複数の異なる治療室から、ある治療室を識別する、請求項１に記載のユーザ・インターフェース・システム。
【請求項４】
前記選択プロセッサは、（ａ）血圧パラメータ、（ｂ）人工呼吸器パラメータ、（ｃ）生命兆候パラメータ、（ｄ）血中酸素濃度をあらわすパラメータ、（ｅ）点滴に伴う輸液ポンプ・パラメータ、（ｆ）パラメータに関連した点滴療法（ｇ）他の流体に関連したパラメータのうち、少なくとも２つを含むタイプから、前記収集をした患者のパラメータのタイプの決定をし、
前記複数の異なる治療室は、（ａ）集中治療室、（ｂ）救命救急治療室、（ｃ）手術室、（ｄ）検査設備、（ｅ）物理療法設備、（ｆ）救急室、（ｇ）画像検査装置、（ｈ）産科／婦人科、（ｉ）小児科、（ｊ）予防医学的ケア設備、（ｋ）放射線医療装置のうち、少なくとも２つを含む病院の部門を含み、
前記選択プロセッサは、（ａ）前記特定の患者のパラメータと関連したメッセージデータ、（ｂ）前記収集をした患者のパラメータを伝達している信号の特徴、（ｃ）前記収集をした患者のパラメータの特徴、（ｄ）前記収集をした患者の出所を識別しているパラメータのうち、少なくとも１つから、前記収集をした患者パラメータのタイプの決定をする、請求項１に記載のユーザ・インターフェース・システム。
【請求項５】
前記選択プロセッサは前記収集をした患者のパラメータの治療室の出所を識別する情報に応じて、テンプレート・ディスプレイ・フォームを選択するためにあり、
前記データ・プロセッサはフォーマット識別子に応じて前記選択したテンプレート・ディスプレイ・フォームを最適に修正する請求項１に記載のユーザ・インターフェース・システム。
【請求項６】
前記データ・プロセッサは、（ａ）前記テンプレート・フォームの出力形式を変更する設定、（ｂ）前記テンプレート・フォームを包含するためのパラメータ、（ｃ）収集した患者のパラメータ情報が前記テンプレート・フォームに表示されているかどうかを識別するインジケータのうち、少なくとも１つを含む環境設定データをユーザが選択することによって前記テンプレート・フォームの設定を補助するイメージ・ウィンドウと、
前記環境設定データをユーザが選択するのに応じて、ユーザ・プレビューのためにアップデートをしたテンプレート・フォームを示すデータの生成を自動的に始めるコマンド・プロセッサと、を含む請求項１に記載のユーザ・インターフェース・システム。
【請求項７】
前記アップデートをされたテンプレート・フォームは、前記選択をされた環境設定データの使用を受け入れるか、拒絶するかどうかをユーザが決定できるように、前記環境設定データをユーザが選択するのに応じて、自動的にユーザに出力される、請求項６に記載のユーザ・インターフェース・システム。
【請求項８】
前記イメージ・ウィンドウは、識別したグループ内へ体系付けられたパラメータのためのデータを含む環境設定データをユーザが選択するのを補助する、請求項６に記載のユーザ・インターフェース・システム。
【請求項９】
前記イメージ・ウィンドウは、（ａ）前記テンプレート・フォームを構成する最初の治療室に関連するファイルからフォームをコピーすること、（ｂ）最初の治療室に関連するファイルから前記設定をコピーすること、（ｃ）前記設定を削除すること、（ｄ）前記テンプレート・フォームを構成する画像を再配置すること、（ｅ）前記テンプレート・フォームを構成する画像を削除すること、の少なくとも１つのデータを含む環境設定データをユーザが選択するのを補助し、
前記イメージ・ウィンドウは、（ａ）前記データ・アイテムは、患者の輸液もしくは出力の計算に使用されるボリューム・データを表すこと（ｂ）前記データ・アイテムは患者の輸液もしくは出力量の計算のための使用率を表すこと、（ｃ）前記データ・アイテム値は、前記トレンド表示ディスプレイの多数の収集時間間隔において使用されていること、の少なくとも１つを表す属性を持つ患者のパラメータと関連付ける環境設定データをユーザが選択するのを補助する、請求項６に記載のユーザ・インターフェース・システム。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
医療情報を処理するための方法であって、
ユーザが時間間隔を選択し得るステップと、
ユーザが時間軸内での期間を確定すべく要求される開始時刻と要求される終了時刻を選択し得るステップと、
前記時間軸内における期間に前記時間間隔のみを適用するステップと、
前記選択された時間間隔において前記時間軸内での期間中に患者データの表示を行うステップと、を備える方法。
【請求項２】
請求項１に記載の方法であって、
ユーザが時間間隔の選択をし得る前記ステップにおいて、
更に、該ステップは、選択可能な時間間隔のリストであって、少なくとも、１）３分、２）５分、３）１５分、４）３０分、５）１時間、６）２時間、７）４時間の一又は複数の時間間隔を含む該選択可能な時間間隔のリストを表示するステップを備える方法。
【請求項３】
請求項１に記載の方法であって、
ユーザが開始時刻の選択をし得る前記ステップにおいて、
更に、該ステップは、所定のルールに基づいて選択可能な開始時刻のリストの表示をするステップを備え、かつ
ユーザが終了時刻の選択をし得る前記ステップにおいて、
更に、該ステップは、所定のルールに基づいて選択可能な終了時刻のリストの表示をするステップを備える方法。
【請求項４】
請求項３に記載の方法であって、
前記所定のルールは、１）前記選択可能な開始時刻は１時間毎に発生する、２）前記選択可能な開始時刻は現在付随するフローシートに表される、３）選択時間間隔が２時間である場合に、前記選択可能な開始時刻は偶数の時間間隔毎に発生する、４）選択時間間隔が４時間である場合の前記選択可能な開始時刻は（０、４：００、８：００、１２：００、１６：００、又は２０：００）の一組である必要がある、のこれらの規制のうち少なくとも一又はそれ以上の規制を含む方法。
【請求項５】
請求項１に記載の方法であって、
更に、第二の時間間隔が第二の長さに用いられ、前記第二の時間間隔がユーザによって選択できるように、時間軸上の患者データの表示をするステップを備える方法。
【請求項６】
請求項３に記載の方法であって、
更に、デフォルトの開始時刻の表示をするステップを備える方法。
【請求項７】
請求項３に記載の方法であって、
更に、デフォルトの終了時刻の表示をするステップを備える方法。
【請求項８】
請求項１に記載の方法であって、
更に、患者データ・スクリーンを介して操作されたデータに前記選択された時間間隔が影響するか否かの決定をするステップと、
前記の決定をするステップに応じて前記時間軸のための時間間隔の変更を承認しないステップと、を含む方法。
【請求項９】
データの処理をするシステムであって、
患者データ画面上の時間軸に適した時間間隔をユーザが選択し得ると共に、適用され得る前記選択された時間間隔の間隔長を確定すべくユーザが開始時刻と終了時刻を選択し得るプロセッサと、
前記選択された時間間隔が前記選択された開始時刻と前記選択された終了時刻の間の間隔長として処理データの表示に用いられるように、時間軸を伴う患者データの表示をするディスプレイと、を備えるシステム。
【請求項１０】
データを処理する方法であって、
時間間隔を変更する要求を受け付けるステップと、
前記時間間隔を変更する要求に応じて選択可能な開始時刻と終了時刻の決定をするステップと、
デフォルトの開始時刻と終了時刻の表示を行うステップと、
他のユーザの要求に応じて選択可能な開始時刻と終了時刻の表示を行うステップと、
表示された選択範囲から開始時刻と終了時刻を選択するステップと、
前記選択された開始と終了の時刻の間の期間に前記時間間隔の変更を適用するステップと、
選択された開始時刻と選択された終了時刻の間の前記選択された時間間隔を伴うデータの更新をするステップと、を含む方法。
【請求項１１】
請求項１０に記載の方法であって、
前記データは患者フローシートを含む方法。
【請求項１２】
請求項１０に記載の方法であって、
１）データはユーザによって変更された、２）データはユーザによって受け入れられた、３）データはユーザによって入力された、のこれらの動作のうち少なくとも一の動作によりデータが操作される方法。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
医療情報の処理をする方法であって、
ユーザの要求に応答してデータの収集を試みるステップと、
ユーザの要求に関するデータが、予め定められたデータ量を超えるものであるか否かを決定するステップと、
前記データが前記予め定められたデータ量を超える場合に、ユーザの要求に関するデータを論理的要素に分解するステップと、
前記ユーザの要求に関するデータが前記予め定められたデータ量を超える場合に、前記予め定められたデータ量を有する最初の論理的要素と、他の論理的要素をナビゲートする手段とを取得するステップと、
前記ユーザの要求に関するデータが前記予め定められたデータ量を超えない場合に、全ての利用可能なデータの収集をするステップと、を含む方法。
【請求項２】
請求項１に記載された方法であって、
前記予め定められたデータ量は可変的な時間フレームに対応する患者データを含み、
更に、前記収集をした前記予め定められた収集データ量より少ない量のデータを表示し、ディスプレイ画面中において、前記可変的な時間フレームの間に収集された予め定められた量のデータ分だけスクロールするためのナビゲーション・ツールを提供するステップを含む方法。
【請求項３】
請求項１に記載された方法であって、
前記予め定められたデータ量は、１）医療装置の形式によるパラメータ設定、２）医療装置の形式によって得られるパラメータ数値、３）実験によって収集される数値のいずれかのうち少なくとも一を含む方法。
【請求項４】
請求項１に記載された方法であって、
ユーザの要求は、１）選択された患者、２）選択された治療室、３）視認可能時間フレームのいずれかのうち少なくとも一に関係する方法。
【請求項５】
請求項１に記載された方法であって、
更に、カレンダーからユーザの要求するデータに関する特定の日付を選択するステップを含む方法であって、
前記カレンダーは、ある選択された患者がある病院に入院を許可された複数の日付を強調し、
更に、選択された日付に関して少なくとも一の治療室のＩＤを表示するステップを含む
方法。
【請求項６】
医療情報の収集をし表示をするシステムであって、
ユーザの要求に応じてデータの収集を試みるためのプロセッサと、
ユーザの要求に関するデータを表示するディスプレイと、を含み、
更に、前記プロセッサは、ユーザの要求に関するデータが前記予め定められた量以上の量が含まれるかどうかを決定し、データが前記予め定められた量を超える場合はユーザの要求に関するデータを論理的要素に分解し、ユーザの要求に関するデータが前記予め定められた量に比較して等しいか又は多い場合は前記予め定められた量を有する最初の論理的要素と他の論理的要素をナビゲートする手段とを取得するシステム。
【請求項７】
請求項６に記載のシステムであって、
更に、前記プロセッサは、ユーザの要求に関するデータを含むデータが前記予め定められたデータ量より少ないものから構成される場合、利用可能なデータの収集をするシステム。
【請求項８】
請求項６に記載のシステムであって、
ディスプレイ画面に表示するデータの量は前記予め定められた収集データ量より少ないシステム。
【請求項９】
請求項６に記載のシステムであって、
前記予め定められたデータ量は可変的な時間フレームに対応し、
ディスプレイ画面中の前記可変的な時間フレームの間に収集された前記予め定められたデータ量のデータ分だけスクロールするためのナビゲーション・ツールを含むシステム。
【請求項１０】
請求項６に記載のシステムであって、
前記予め定められたデータ量は、１）医療装置の形式によるパラメータ設定、２）医療装置の形式によって得られるパラメータ数値、３）実験によって収集される数値のいずれかのうち少なくとも一を含む患者データを含むシステム。
【請求項１１】
請求項６に記載のシステムであって、
前記ユーザの要求は、１）選択された患者、２）選択された治療室、３）視認可能時間フレームのいずれかのうち少なくとも一に関係し、
更に、ユーザの要求するデータに関する特定の日付の選択のためのカレンダーを含むシステム。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
治療が必要な被験者の非吃音性の発話障害及び／又は言語障害を治療するために、治療装置を制御するための方法であって、
学習能力，言語能力，及び／又はコミュニケーション能力を改善するために、自閉症又は言語障害を持つ被験者に約２００ｍｓ未満の遅延時間を有する遅延聴覚フィードバック信号（ＤＡＦ信号）を長期的に施与するステップを含むことを特徴とする方法。
【請求項２】
前記被験者は、学習障害を持つが自閉症ではなく、かつ、学習障害を治療するために、前記遅延聴覚フィードバック信号を施与するステップは、前記被験者が書字すること及び／又は読字する直後に実行されることを特徴とする請求項１に記載の方法。
【請求項３】
前記遅延聴覚フィードバック信号を施与するステップは、
（ａ）  被験者の耳にすぐ間近なところに前記被験者の発話に関連する聴覚信号を受信するための前記被験者の外耳道と連通するのに適応された装置を配置するステップと、
（ｂ）  前記装置において前記被験者の発話に関連する音声信号を受信するステップと、
（ｃ）  受信した音声信号に応答して約１００ｍｓ未満の遅延時間を有する遅延聴覚信号を生成するステップと、
（ｄ）  前記遅延聴覚信号を前記被験者の外耳道に送り込むステップと、
を含むことを特徴とする請求項１に記載の方法。
【請求項４】
施与された前記遅延聴覚フィードバック信号を用いて、読字障害を有する幼稚園児又は学校児童の発達性読字障害を治療するステップをさらに含むことを特徴とする請求項３に記載の方法。
【請求項５】
前記ステップ（ｃ）の遅延時間が約５０ｍｓ以下であることを特徴とする請求項３に記載の方法。
【請求項６】
前記被験者が自閉症であり、かつ、前記遅延聴覚フィードバック信号が、前記被験者のコミュニケーション能力を改善するために施与されることを特徴とする請求項１に記載の方法。
【請求項７】
被験者の自然な話速度が一般人と比べて異常に速い速話障害を治療するための装置であって、
約２００ｍｓ未満の遅延時間を有する被験者用の遅延聴覚フィードバック信号を生成する手段と、
速話症の発話障害及び／又は言語障害を有する前記被験者に前記遅延聴覚フィードバック信号を送信する手段と、
を具備することを特徴とする装置。
【請求項８】
非吃音性の発話障害及び／又は言語障害を治療するための装置であって、
約２００ｍｓ未満の遅延時間を有する被験者用の遅延聴覚フィードバック信号を生成する手段と、
前記被験者に前記遅延聴覚フィードバック信号を送信する手段と、
を備え、
前記遅延聴覚フィードバック信号を送信して前記被験者の学習能力，読字能力、及び／又は書字能力を手助けするために、学習障害を有する被験者によって長期的に着用されるように構成されていること、
を特徴とする装置。
【請求項９】
前記遅延聴覚フィードバック信号は、約１００ｍｓ以下の遅延時間を有し、かつ、前記遅延聴覚フィードバック信号を生成及び送信する手段は、内蔵式耳装着型装置であることを特徴とする請求項８に記載の装置。
【請求項１０】
読解力，認識力，及び／又は速度を改善するために読字する際に、前記遅延聴覚フィードバック信号を前記被験者に付与するために、読字障害を有する前記被験者が装着するのに適応されることを特徴とする請求項８に記載の装置。
【請求項１１】
失読症、及び／又は、注意力欠如障害（ＡＤＤ）又は注意欠陥過活動性障害（ＡＤＨＤ）の一方を有する被験者を治療するように構成されていることを特徴とする請求項８に記載の装置。
【請求項１２】
学習障害を治療するための携帯型装置であって、
（ａ）  対向する遠位面と近位面とを有しており、少なくとも近位面はユーザの外耳道内に位置付けられるように構成された耳装着式ハウジングと、
（ｂ）（ｉ）ユーザの発話に関連する聴覚信号に応答して入力信号を生成する受信器と、
（ｉｉ）前記受信器に連動可能に結合されて、約２００ｍｓ以下の遅延時間を有する遅延聴覚信号を生成する遅延聴覚フィードバック回路と、
（ｉｉｉ）前記遅延聴覚フィードバック回路に連動可能に結合されて、前記遅延聴覚信号をユーザに送信する送信器と、
（ｃ）  信号プロセッサに連動可能に結合されて、前記信号プロセッサに電力を供給する電源と、
を具備し、
前記耳装着型ハウジング内、及び／又は、ユーザによって長期的に装着され、かつ、前記耳装着型ハウジングと無線通信して前記耳装着型ハウジングと協働して遅延聴覚フィードバックをユーザに送るように構成された無線動作方式携帯型ハウジング内に、前記信号プロセッサが内蔵されるように構成されると共に、
学習障害を有する被験者の学習を手助けするために遅延聴覚フィードバックを付与するように構成されていること、
を特徴とする携帯型装置。
【請求項１３】
学習を手助けするために、発達性読字障害を有するユーザ、及び／又は、失読症，ＡＤＤ，又はＡＤＨＤを有する子供のユーザによって装着されるのに適応されることを特徴とする請求項１２に記載の装置。
【請求項１４】
前記送信器は、前記被験者が読字する際又は書字する際に前記被験者の発話を用いて前記被験者が書くこと及び／又は読むことを行うときに前記遅延聴覚フィードバック信号を送信するように構成されていることを特徴とする請求項１２に記載の装置。
【請求項１５】
自閉症を治療するための携帯型装置であって、
（ａ） 対向する遠位面と近位面とを有しており、少なくとも近位面はユーザの外耳道内に位置付けられるように構成された耳装着式ハウジングと、
（ｂ）（ｉ）ユーザの発話に関連する聴覚信号に応答して入力信号を生成する受信器と、
（ｉｉ）前記受信器に連動可能に結合されて、約２００ｍｓ以下の遅延時間を有する遅延聴覚信号を生成する遅延聴覚フィードバック回路と、
（ｉｉｉ）前記遅延聴覚フィードバック回路に連動可能に結合されて、前記遅延聴覚信号をユーザに送信する送信器と、
（ｃ） 信号プロセッサに連動可能に結合されて、前記信号プロセッサに電力を供給する電源と、
を具備し、
前記耳装着型ハウジング内、及び／又は、ユーザによって装着され、かつ、前記耳装着型ハウジングと無線通信して前記耳装着型ハウジングと協働して遅延聴覚フィードバックをユーザに送るように構成された無線動作方式携帯型ハウジング内に、前記信号プロセッサが内蔵されるように構成されると共に、
自閉症を有するユーザの言語能力及び／又はコミュニケーション能力を治療するために遅延聴覚フィードバックを付与するように構成されていること、
ことを特徴とする携帯型装置。
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
残留有機溶媒を含むカルボマーを残留有機溶媒の少なくとも一部をカルボマーから抽出するのに充分な条件下で前記残留有機溶媒が実質的に可溶性であるガス流体に暴露することを特徴とするカルボマー中の残留有機溶媒のレベルの低減方法。
【請求項２】
カルボマーが、カルボマー934、カルボマー934P、カルボマー940、カルボマー941、カルボマー1342、ポリカルボフィル及びカルシウムポリカルボフィルから選ばれる請求項１記載の方法。
【請求項３】
有機溶媒が、ベンゼン、フェノール、フェノール類、トルエン、酢酸エチル、メタノール、エタノール、イソプロパノール、ヘキサン、アセトン、クロロホルム、1,4-ジオキサン、ジメチルスルホキシド、塩化メチレン、トリクロロエチレン、1,2-ジクロロエタン、四塩化炭素及び1,1-ジクロロエテンから選ばれる請求項１又は２記載の方法。
【請求項４】
ガス流体が、約200℃以下の臨界温度及び約703kg/cm2（10,000psi）以下の臨界圧力を有する請求項１〜３のいずれか１項記載の方法。
【請求項５】
ガス流体が、二酸化炭素、六フッ化硫黄、亜酸化窒素、トリフルオロメタン、テトラフルオロメタン、エタン、エチレン、プロパン、プロパノール、イソプロパノール、プロピレン、ブタン、ブタノール、イソブタン、イソブテン、ヘキサン、シクロヘキサン、ベンゼン、トルエン、o-キシレン、アンモニア、水及びこれらの混合物から選ばれる請求項１〜４のいずれか１項記載の方法。
【請求項６】
ガス流体が、更に一種以上の有機溶媒、及び／又は一種以上の軽質ガスを含む請求項１〜５のいずれか１項記載の方法。
【請求項７】
前記方法をガス流体の臨界温度（ケルビン度）の約0.8倍〜約1.4倍の範囲の温度で行なう、請求項１〜６のいずれか１項記載の方法。
【請求項８】
前記方法を、ガス流体の臨界圧力の約0.5倍〜約100倍の範囲の圧力で行なう請求項１〜７のいずれか１項記載の方法。
【請求項９】
ガス流体が、二酸化炭素であり、かつその方法を約31〜80℃の温度及び約75.2〜703kg/cm2ゲージ圧（1,070〜10,000psig）の圧力で行なう請求項１〜８のいずれか１項記載の方法。
【請求項１０】
ガス流体の圧力を残留有機溶媒の抽出中に一定に保つ請求項１〜９のいずれか１項記載の方法。
【請求項１１】
ガス流体の圧力を残留有機溶媒の抽出中に二つ以上の圧力レベルの間で繰り返し変調する請求項１〜１０のいずれか１項記載の方法。
【請求項１２】
前記圧力レベルにおける前記ガス流体の密度の最高レベルと最低レベルの間の相対的差が約30％以下である請求項１１記載の方法。
【請求項１３】
カルボマー中に存在する残留有機溶媒を約30ppm以下のレベルに低減する請求項１〜１１のいずれか１項記載の方法。
【請求項１４】
カルボマーが、カルボマー934Pであり、
残留有機溶媒が、ベンゼンであり、
ガス流体が二酸化炭素であり、かつ
カルボマー中に存在する残留有機溶媒を約2ppm以下のレベルに低減する請求項１〜１３のいずれか１項記載の方法。
【請求項１５】
請求項１〜１４のいずれか１項記載の方法により処理されたカルボマー。
【請求項１６】
治療上活性な薬剤及び請求項１５記載のカルボマーを含むことを特徴とする懸濁液。
【請求項１７】
治療上活性な薬剤が、メロキシカム、イプラトロピウムブロミド、チオトロピウムブロミド、オキシトロピウムブロミド、アルブテロール、アルブテロールスルフェート、クレンブテロール、フェノテロール、ベクロメタゾンジプロピオネート、インスリン、鎮痛薬、抗癌剤、抗菌薬、抗ウイルス薬、抗真菌薬、抗生物質、ヌクレオチド、アミノ酸、ペプチド、タンパク質、免疫抑制剤、血栓溶解薬、血液凝固防止剤、中枢神経系刺激薬、充血除去剤、利尿薬、血管拡張薬、抗精神病薬、神経伝達物質、鎮静薬、ホルモン、麻酔薬、抗炎症薬、酸化防止剤、抗ヒスタミン薬、ビタミン及びミネラルから選ばれる請求項１６記載の懸濁液。
【請求項１８】
治療上活性な薬剤が、ネビラピンである請求項１６又は１７記載の懸濁液。
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
次式：
【化１】
2005523922.tif 000001
を有する、化合物またはその立体異性体、プロドラッグ、塩および水和物であって、
ここでＲ４は、１個〜１８個の炭素原子を有するアルキルであり；
Ｗ５は、以下の構造：
【化２】
2005523922.tif 000002
から選択され；
Ａ２は、次式：
【化３】
2005523922.tif 000003
であって；
Ｗ５ａは、ピリジルであり；
Ｍ１２ａは１であり；
Ａ１は、以下の式：
【化４】
2005523922.tif 000004
であって、
ｎは、１〜１８の整数であり；
Ａ３は、次式：
【化５】
2005523922.tif 000005
【化６】
2005523922.tif 000006
から選択され、
Ｙ２ｃは、Ｏ、Ｎ（Ｒｙ）またはＳであり；
Ｒ１およびＲ２は、別個に、Ｈ、または１個〜１８個の炭素原子を有するアルキルであり；
Ｗ５’はフェニルであり；
Ｙ１は、Ｏであり；
Ｙ２は、ＯまたはＮＨであり；
Ｒｙは、Ｈ、または１個〜１８個の炭素原子を有するアルキルである、
化合物またはその立体異性体、プロドラッグ、塩および水和物。
【請求項２】
Ｒ４はイソプロピルである、請求項１に記載の化合物。
【請求項３】
Ｗ５は、次式：
【化７】
2005523922.tif 000007
である、請求項１または２に記載の化合物。
【請求項４】
Ａ３が、次式：
【化８】
2005523922.tif 000008
である、請求項１、２または３のいずれか１項に記載の化合物。
【請求項５】
次式：
【化９】
2005523922.tif 000009
【化１０】
2005523922.tif 000010
【化１１】
2005523922.tif 000011
から選択される、請求項１に記載の化合物。
【請求項６】
ＨＩＶ感染の処置のための医薬を調製するための、請求項１〜５のいずれか１項に記載の化合物の使用。
【請求項７】
請求項１〜５のいずれか１項に記載の化合物、必要に応じて従来のキャリアおよび賦形剤を一緒に含む、薬学的処方物。
【手続補正書】
【提出日】平成18年3月31日(2006.3.31)
【手続補正１】
【補正対象書類名】明細書
【補正対象項目名】０００７
【補正方法】変更
【補正の内容】
【０００７】
オーストラリア特許出願公開第１００８２／９７号明細書は、
Ｒ1nＸ3-nＳｉ−（Ａｌｋ）m（Ａｒ）p−Ｓ（Ｃ＝Ｏ）−Ｒ
で表される構造のシランの、ゴムにおける使用を開示している、
ここで、Ｒ1はフェニル又はアルキル、Ｘはハロゲン、アルコキシル、シクロアルコキシ、アシロキシ又はＯＨであり、Ａｌｋはアルキルであり、Ａｒはアリールであり、Ｒはアルキル、アルケニル又はアリールであり、ｎは０〜２であり、そして、ｍ及びｐは、各々０又は１であるが、両方がゼロではない。しかし、この特許は、上記の式の構造体の組成物が機能化されたシロキサンと共に使用されなければならないと規定している。加えて、この特許は、潜在的メルカプトシランカップリング剤としての式（１Ｐ）の化合物の使用を開示すること又は示唆することをしないし、また、潜在的メルカプトシランの出所としてそれらを使用することの利点をもたらすどんな方法においても、これらの化合物の使用を開示することも示唆することもしていない。
【手続補正２】
【補正対象書類名】明細書
【補正対象項目名】０００８
【補正方法】変更
【補正の内容】
【０００８】
特開昭６３−２７０７５１号公報は、タイヤトレッド組成物における一般的な式ＣＨ2＝Ｃ（ＣＨ3）Ｃ（＝Ｏ）Ｓ（ＣＨ2）1-6Ｓｉ（ＯＣＨ3）3で表される化合物の使用を開示している、しかし、チオエステルのカルボニル基に対するα、β不飽和が、コンパウンディングの間に、又は保管中に重合するという望ましくない可能性を持っているので、これらの化合物は望ましくない。
【手続補正３】
【補正対象書類名】明細書
【補正対象項目名】０００９
【補正方法】変更
【補正の内容】
【０００９】
ここで記述するような不利な点を示すことなくメルカプトシランの利点を示す有効な潜在的カップリング剤に対する必要性は残ったままである。
【特許文献１】米国特許第３９２２４３６号明細書
【特許文献２】米国特許第３９５７７１８号明細書
【特許文献３】米国特許第４１８４９９８号明細書
【特許文献４】米国特許第４５１９４３０号明細書
【特許文献５】オーストラリア特許出願公開第１００８２／９７号明細書
【特許文献６】特開昭６３−２７０７５１号公報
【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
眼内圧の低下および神経保護を必要とする患者の眼内圧を低下させて該患者に神経保護を提供するための組成物であって、該組成物は、治療有効量の、結合組織増殖因子（ＣＴＧＦ）の発現、シグナル伝達または生物学的機能を阻害する少なくとも１つの非ヌクレオチド薬剤または非タンパク質薬剤、ならびに薬学的に受容可能なキャリアを含み、該組成物は、投与のために処方される、組成物。
【請求項２】
前記組成物が、局所適用、眼房内または移植片を介しての投与のために処方される、請求項１に記載の組成物。
【請求項３】
前記組成物中の前記ＣＴＧＦインヒビターの総濃度が、０．０１％〜２％である、請求項１に記載の組成物。
【請求項４】
前記患者が、緑内障または高眼圧症に罹患している、請求項１に記載の組成物。
【請求項５】
前記緑内障が、正常眼圧緑内障である、請求項４に記載の組成物。
【請求項６】
眼内圧の低下を必要とする患者において眼内圧を低下させるための組成物であって、該組成物は、治療有効量の、結合組織増殖因子（ＣＴＧＦ）の発現、シグナル伝達、または生物学的機能を阻害する少なくとも１つの非ヌクレオチド薬剤または非タンパク質薬剤、ならびに薬学的に受容可能なキャリアを含み、該組成物は、投与のために処方される、組成物。
【請求項７】
前記組成物が、局所適用、眼房内または移植片を介しての投与のために処方される、請求項６に記載の組成物。
【請求項８】
前記組成物中の前記ＣＴＧＦインヒビターの総濃度が、０．０１％〜２％である、請求項６に記載の組成物。
【請求項９】
前記患者が、緑内障または高眼圧症に罹患している、請求項６に記載の組成物。
【請求項１０】
前記緑内障が、正常眼圧緑内障である、請求項９に記載の組成物。
【請求項１１】
原発性開放性緑内障（ＰＯＡＧ）に関連した視野欠損を予防するための組成物であって、該組成物は、眼内圧が制御され、そして網膜神経節細胞または視神経乳頭に対する保護が提供されるように、結合組織増殖因子（ＣＴＧＦ）の発現を調整する非ヌクレオチド薬剤または非タンパク質薬剤を含み、該組成物は、それを必要とする患者に投与するために処方される、組成物。
【請求項１２】
眼内圧の低下および神経保護を必要とする患者の眼内圧を低下させて該患者に神経保護を提供するための組成物であって、該組成物は、結合組織増殖因子（ＣＴＧＦ）の発現、シグナル伝達、または生物学的機能を阻害する少なくとも１つの薬剤、ならびに薬学的に受容可能なキャリアを含む、組成物。
【請求項１３】
前記組成物中での前記ＣＴＧＦインヒビターの総濃度が、０．０１％〜２％である、請求項１２に記載の組成物。
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
医薬品として使用するのための、式（Ｉ）
【化１】
2005523917.tif 000001
［式中、Ｒは、メチル又はエチルであり、Ｒ２は、水素、医薬的に許容される、無機もしくは有機塩基カチオン、又は直鎖もしくは分岐鎖状のＣ２〜Ｃ５アシル残基であり、かつ
ａ）Ｒ１が３−メチル−ブタン−１−イルであり、かつオキソ基が１位及び１０位に存在する；
ｂ）Ｒ１が３−メチル−２−ブテン−１−イルであり、かつヒドロキシ基が１位及び１０位に存在する；
ｃ）Ｒ１が３−メチル−ブタン−１−イルであり、かつヒドロキシ基が１位及び１０位に存在する、のいずれかである］のハイパーフォリン及びアドハイパーフォリン誘導体。
【請求項２】
うつ病及びアルツハイマー病の処置において使用するための医薬品の調製のための、請求項１記載の誘導体。
【請求項３】
Ｒ２が水素である、請求項１又は２に記載の誘導体。
【請求項４】
Ｒ２がリチウムであり、Ｒ１が３−メチル−ブタン−１−イルであり、かつオキソ基が１位及び１０位に存在する、請求項１又は２に記載の誘導体。
【請求項５】
Ｒがメチルである、請求項４に記載の誘導体。
【請求項６】
Ｒ２がアセチルであり、Ｒ１が３−メチル−ブタン−１−イルであり、かつオキソ基が１位及び１０位に存在する、請求項１又は２に記載の誘導体。
【請求項７】
Ｒがメチルである、請求項６に記載の誘導体。
【請求項８】
ドデカヒドロハイパーフォリン（Ｉｅ）、ドデカヒドロアドハイパーフォリン（Ｉｆ）、アセチルオクタヒドロハイパーフォリン（Ｉｈ）、及びアセチルオクタヒドロアドハイパーフォリン（Ｉｉ）より選択される化合物。
【請求項９】
請求項４の化合物を含有している医薬組成物。
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
多糖水溶液のエアロゾルを形成し、該エアロゾルの液滴を空気中で冷却してそのゲル化を開始させ、該液滴をゲル化したビーズとして液体中又は表面で回収することを含む１種以上の多糖ビーズの製造方法であって、上記多糖水溶液に親水性蒸気圧降下剤を添加することを特徴とする方法。
【請求項２】
前記蒸気圧降下剤がＭｗが約１５０Ｄ未満のような約２００Ｄ未満の分子を含み、７０℃での蒸気圧が約３１０ｍｂａｒ未満であるものとして規定される、請求項１記載の方法。
【請求項３】
前記蒸気圧降下剤が、２５℃の濃度１０重量％の水溶液中での表面張力が約５０ｍＮ／ｍを上回るものとして規定される、請求項１又は請求項２記載の方法。
【請求項４】
前記蒸気圧降下剤が有機物である、請求項１乃至請求項３のいずれか１項記載の方法。
【請求項５】
前記蒸気圧降下剤がグリコール類及びグリセロール類からなる群から選択される、請求項１乃至請求項４のいずれか１項記載の方法。
【請求項６】
前記蒸気圧降下剤がプロピレングリコールである、請求項５記載の方法。
【請求項７】
前記エアロゾルが回転ディスク法で生成される、請求項１乃至請求項６のいずれか１項記載の方法。。
【請求項８】
前記多糖液滴が実質的に蒸気で飽和した雰囲気中で冷却される、請求項１乃至請求項７のいずれか１項記載の方法。
【請求項９】
前記多糖溶液が化学的架橋剤を含む、請求項１乃至請求項８のいずれか１項記載の方法。
【請求項１０】
前記多糖がアガロースである、請求項１乃至請求項９のいずれか１項記載の方法。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
ポリウレタンフォームの製造法であって、
Ａ）以下の成分（１）〜（５）を含んでなる混合物を調製する工程：
（１）１分子当たり平均２個を超える水酸基を含むポリエーテルポリオール、
（２）有機ポリイソシアネート、
（３）ポリウレタンフォーム生産用の少なくとも１種の触媒、
（４）水、及び
（５）界面活性剤；
ただし、該界面活性剤は、式：
Ｒ−Ｓｉ(ＣＨ3)2Ｏ−[Ｓｉ(ＣＨ3)2Ｏ]x−[ＳｉＣＨ3Ｒ1Ｏ−]a−[ＳｉＣＨ3Ｒ2Ｏ−]b−[ＳｉＣＨ3Ｒ3Ｏ−]c−[ＳｉＣＨ3Ｒ4Ｏ−]d−Ｓｉ(ＣＨ3)2−Ｒ；
又は、式：
Ｒ−Ｓｉ(ＣＨ3)2Ｏ−[ＳｉＣＨ3ＲＯ]m−(ＳｉＣＨ3[Ｏ−(ＳｉＣＨ3ＲＯ)m−Ｓｉ(ＣＨ3)2Ｒ]Ｏ)n−[ＳｉＣＨ3ＲＯ]m−Ｓｉ(ＣＨ3)2−Ｒ
［ただし、式中、
Ｒ1、Ｒ2、及びＲ3は、式：
−Ｂ−ＣnＨ2nＯ−(Ｃ2Ｈ4Ｏ)e−(Ｃ3Ｈ6Ｏ)f(Ｃ4Ｈ8Ｏ)gＺ
で示されるポリアルキレンオキシドポリエーテルであり；
Ｒ1は混合平均分子量が３０００〜６０００グラム／モルの範囲であり、エチレンオキシドはポリエーテルのアルキレンオキシド含量の２０〜６０重量％である；
Ｒ2は混合平均分子量が８００〜２９００の範囲であり、エチレンオキシドはポリエーテルのアルキレンオキシド含量の２０〜６０重量％である；
Ｒ3は混合平均分子量が１３０〜８００グラム／モルの範囲であり、エチレンオキシドはポリエーテルのアルキレンオキシド含量の０〜７５重量％である；
Ｒ4は置換又は非置換Ｃ1〜Ｃ12のアルキル、アルカリール、又はアリール基である；
Ｂはヒドロシリル化を受け得る部分から誘導される；
Ｚは水素、Ｃ1〜Ｃ8アルキル又はアラルキル部分、−Ｃ(Ｏ)Ｚ1、−Ｃ(Ｏ)ＯＺ1、及び−Ｃ(Ｏ)ＮＨＺ1からなる群から選択される；ただし、Ｚ1はモノ官能性Ｃ1〜Ｃ8アルキル又はアリール部分を表す；
Ｒは各々独立にＲ1、Ｒ2、Ｒ3、及びＲ4からなる群から選択される；
ｘは４０〜１５０である；
ｙは５〜４０であり、ａ＋ｂ＋ｃ＋ｄに等しい（ただし、ｂ又はｃは両方ではなくいずれかが０である；ｄ／（ａ＋ｂ＋ｃ）＝０〜１であり、ａ＋ｂ＞０である）；
ｘ／ｙ≦１０；ｍ＝１０〜１００；ｎ≦４；及び
ｅ、ｆ、及びｇは該ポリエーテルが必要とする分子量により定義される］
で示されるシリコーン／ポリエーテル組成を含んでなる；ただし、界面活性剤構造の総エチレンオキシド含量は３７重量％未満であるものとする；及び
Ｂ）ポリウレタンフォームを加圧不活性ガスにて発泡させる工程；
を含む方法。
【請求項２】
Ｒ1が３５〜５５重量％のエチレンオキシドを含んでなる請求項１記載の方法。
【請求項３】
Ｒ2が３５〜５５重量％のエチレンオキシドを含んでなる請求項１記載の方法。
【請求項４】
Ｒ3が０〜５０重量％のエチレンオキシドを含んでなる請求項１記載の方法。
【請求項５】
Ｒ4が置換又は非置換１〜１２個の炭素原子のアルキル、アリール、又はアルカリール基である請求項１記載の方法。
【請求項６】
Ｚが−Ｃ(Ｏ)ＣＨ3又は−ＣＨ3である請求項１記載の方法。
【請求項７】
Ｂがアリル誘導体又はメタリル誘導体である請求項１記載の方法。
【請求項８】
該不活性ガスが二酸化炭素である請求項１記載の方法。
【請求項９】
該界面活性剤が、式：
ＭＤxＤ″yＭ
［ただし、式中、
Ｍは(ＣＨ3)3ＳｉＯ1/2−である；
Ｄは−Ｏ1/2Ｓｉ(ＣＨ3)2Ｏ1/2−である；
Ｄ″は−Ｏ1/2Ｓｉ(ＣＨ3)Ｒ′Ｏ1/2−である；及び
Ｒ′はＲ1、Ｒ2、又はＲ3である]
で示されるものである請求項１記載の方法。
【請求項１０】
Ｒ′が２つの異なるアセトキシキャップを有するポリエーテルを含んでなり、そのエチレンオキシド含量≧７５重量％の分枝が０モル％であり、標的平均分子量が１７，４００ダルトンである請求項９記載の方法。
【手続補正書】
【提出日】平成18年3月22日(2006.3.22)
【手続補正１】
【補正対象書類名】明細書
【補正対象項目名】００２７
【補正方法】変更
【補正の内容】
【００２７】
【化３】
2005523968.tif 000001
［式中、Ｒ′はそれぞれ独立して水素、ヒドロカルビル、シリル、ゲルミル、ハロ、シアノおよびその組み合わせから選択され、前記Ｒ′は２０個までの非水素原子を有し、更に必要に応じ２個のＲ′基（Ｒ′は水素、ハロもしくはシアノでない）は一緒になってシクロペンタジエニル環の隣接位置に接続されたその二価誘導基を形成して融合リング構造を形成し；
Ｘは３０個までの非水素原子を有する中性η４−結合ジエン基であって、Ｍとのπ−錯体を形成し；
Ｙは−Ｏ−、−Ｓ−、−ＮＲ＊−、−ＰＲ＊−であり；
Ｍは＋２フォーマル酸化状態におけるチタンもしくはジルコニウムであり；
Ｚ＊はＳｉＲ２、ＣＲ＊２、ＳｉＲ＊２ＳｉＲ＊２、ＣＲ＊２ＣＲ＊２、ＣＲ＊＝ＣＲ＊、ＣＲ２ＳｉＲ＊２もしくはＧｅＲ＊２であり；
ここでＲ＊はそれぞれ独立して水素またはヒドロカルビル、シリル、ハロゲン化アルキル、ハロゲン化アリールおよびその組み合わせから選択されるものであり、前記Ｒ＊は１０個までの非水素原子を有し、必要に応じＺ＊からの２個のＲ＊基（Ｒ＊は水素でない）またはＺ＊からのＲ＊基とＹからのＲ＊基とはリング系を形成する］
を有することができる。
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
ポリマー組成物であって、
コポリエーテルエステル、
前記組成物の約０．０１〜約５重量パーセントの量のホウ素成分、および
前記コポリエーテルエステルのキログラム当たり約５〜５００ミリ当量の総エポキシ官能基を提供するのに十分な量のエポキシ成分
を含むことを特徴とするポリマー組成物。
【請求項２】
前記エポキシ成分が少なくとも１種のジフェノール・エポキシ縮合ポリマーまたは分子当たり少なくとも２個のエポキシ基を含む少なくとも１種のエポキシ化合物を含むことを特徴とする請求項１に記載の組成物。
【手続補正２】
【補正対象書類名】明細書
【補正対象項目名】発明の名称
【補正方法】変更
【補正の内容】
【発明の名称】耐加水分解性ポリエステルエラストマー組成物
【手続補正３】
【補正対象書類名】明細書
【補正対象項目名】０１１０
【補正方法】変更
【補正の内容】
【０１１０】
本発明は今のところ好ましい実施形態であると考えられるものに関して記載されてきたか、本発明は開示された実施形態に限定されないことが理解されるべきである。それとは反対に、本発明は、添付の請求項の精神および範囲内に含まれる様々な修正および同等な手筈をカバーすることを意図される。次の請求項の範囲は、すべてのかかる修正ならびに同等の調合物および機能を包含するように最も広い解釈を認められるべきである。
以下に、本発明の好ましい態様を示す。
１．  ポリマー組成物であって、
コポリエーテルエステル、
前記組成物の約０．０１〜約５重量パーセントの量のホウ素成分、および
前記コポリエーテルエステルのキログラム当たり約５〜５００ミリ当量の総エポキシ官能基を提供するのに十分な量のエポキシ成分
を含むことを特徴とするポリマー組成物。
２．  前記ホウ素成分が前記組成物の約０．０５〜約１重量パーセントを占めることを特徴とする１．に記載の組成物。
３．  前記ホウ素成分が前記組成物の約０．１〜０．５重量パーセントを占めることを特徴とする１．に記載の組成物。
４．  前記エポキシ成分が前記コポリエーテルエステルのキログラム当たり約１０〜３００ミリ当量の総エポキシ官能基を提供するのに十分な量を占めることを特徴とする１．に記載の組成物。
５．  前記エポキシ成分が前記コポリエーテルエステルのキログラム当たり約１５〜２００ミリ当量の総エポキシ官能基を提供するのに十分な量を占めることを特徴とする１．に記載の組成物。
６．  前記エポキシ成分が前記コポリエーテルエステルのキログラム当たり約２０〜１５０ミリ当量の総エポキシ官能基を提供するのに十分な量を占めることを特徴とする１．に記載の組成物。
７．  前記エポキシ成分が少なくとも１種のジフェノール・エポキシ縮合ポリマーまたは分子当たり少なくとも２個のエポキシ基を含む少なくとも１種のエポキシ化合物を含むことを特徴とする１．に記載の組成物。
８．  前記ホウ素成分が酸化ホウ素、ホウ酸、ホウ酸塩、または前記のいずれかの１種もしくは複数種の任意の混合物を含むことを特徴とする１．に記載の組成物。
９．  前記ホウ素成分が少なくとも１種のホウ酸塩を含むことを特徴とする８．に記載の組成物。
１０．  前記ホウ酸塩がアルカリ金属ホウ酸塩、二価金属ホウ酸塩、または三価金属ホウ酸塩を含むことを特徴とする９．に記載の組成物。
１１．  前記ホウ酸塩がアルカリ金属ホウ酸塩を含むことを特徴とする１０．に記載の組成物。
１２．  前記アルカリ金属ホウ酸塩がナトリウムホウ酸塩、リチウムホウ酸塩、またはカリウムホウ酸塩の少なくとも１種を含むことを特徴とする１１．に記載の組成物。
１３．  前記アルカリ金属ホウ酸塩がナトリウムホウ酸塩を含み、かつ、前記ナトリウムホウ酸塩が四ホウ酸ナトリウムを含むことを特徴とする１２．に記載の組成物。
１４．  前記エポキシ成分が
（ｉ）ジフェノール・エポキシ縮合ポリマー、および
（ｉｉ）少なくとも１種のエポキシ化合物の分子当たり少なくとも２個のエポキシ基を含む少なくとも１種のエポキシ化合物
を含むエポキシ系を含むことを特徴とする１．に記載の組成物。
１５．  前記コポリエーテルエステルが少なくとも２種のコポリエーテルエステルポリマーのブレンドを含むことを特徴とする１．に記載の組成物。
１６．  前記コポリエーテルエステル以外のポリエステルをさらに含むことを特徴とする１．に記載の組成物。
１７．  前記ポリエステルが前記コポリエーテルエステルよりも少ない量で存在することを特徴とする１６．に記載の組成物。
１８．  前記ポリエステルがポリブチレンテレフタレートを含むことを特徴とする１６．に記載の組成物。
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
ａ）安定性の遊離ニトロキシルラジカル及び
ｂ）フェノール系抗酸化剤
を反応系に添加することを含む、塩化ビニル重合を連鎖停止する方法。
【請求項２】
ａ）安定性の遊離ニトロキシルラジカル、
ｂ）フェノール系抗酸化剤及び
ｃ）塩化ビニル
を含む組成物。
【請求項３】
式（Ｉ）、（ＩＩ）、（ＩＩＩ）、（ＩＶ）、（Ｖ）、（ＶＩ）、（ＶＩＩ）、（ＶＩＩＩ）又は（ＩＸ）
【化１】
2005523978.tif 000001
【化２】
2005523978.tif 000002
【化３】
2005523978.tif 000003
【化４】
2005523978.tif 000004
［式中、式中、Ｇ1、Ｇ2、Ｇ3、Ｇ4は、独立して炭素原子数１ないし４のアルキル基を表すか、或いはＧ1とＧ2又はＧ3とＧ4、又はＧ1とＧ2とＧ3とＧ4はペンタメチレン基を表し、但し、Ｇ1ないしＧ4が炭素原子数１ないし４のアルキル基を表す場合には少なくとも１つはエチル基、プロピル基又はブチル基を表し；
Ｇ5、Ｇ6は、独立して水素原子又は炭素原子数１ないし４のアルキル基を表し；
ｍが１である場合、Ｒは水素原子、中断されていない炭素原子数１ないし１８のアルキル基或いは１個又はそれ以上の酸素原子により中断された炭素原子数２ないし１８のアルキル基、シアノエチル基、ベンゾイル基、グリシジル基、炭素原子数２ないし１８の脂肪族カルボン酸の１価基、炭素原子数７ないし１５の脂環式カルボン酸の、又は炭素原子数３ないし５のα，β−不飽和カルボン酸の１価基又は炭素原子数７ないし１５の芳香族カルボン酸の１価基を表すか；又はＲはカルバミン酸又はリン原子含有酸の１価基又は１価シリル基を表し；
ｍが２である場合、Ｒは炭素原子数２ないし１２のアルキレン基、炭素原子数４ないし１２のアルケニレン基、キシリレン基、炭素原子数２ないし３６の脂肪族ジカルボン酸の、又は炭素原子数８ないし１４の脂環式又は芳香族ジカルボン酸の２価基、或いは炭素原子数８ないし１４の脂肪族、脂環式又は芳香族ジカルバミン酸の２価基を表し；又は
Ｒはリン原子含有酸の２価基又は２価シリル基を表し；
ｍが３である場合、Ｒは脂肪族、脂環式又は芳香族トリカルボン酸の３価基を表し；
ｍが４である場合、Ｒは脂肪族、脂環式又は芳香族テトラカルボン酸の４価基を表し；
ｐは１であり；
Ｒ1は炭素原子数１ないし１２のアルキル基、炭素原子数５ないし７のシクロアルキル
基又はベンゾイル基を表し；
Ｒ2は炭素原子数１ないし１２のアルキル基、炭素原子数５ないし７のシクロアルキル
基又は式−ＣＯ−Ｚ（式中、Ｚは水素原子、メチル基又はフェニル基を表す。）で表される基を表し；
Ｒ5、Ｒ6及びＲ7は独立して水素原子、炭素原子数１ないし１８のアルキル基又は炭素
原子数６ないし１０のアリール基を表し；
Ｒ8は水素原子、ＯＨ、炭素原子数１ないし１８のアルキル基、炭素原子数３ないし１
８のアルケニル基、炭素原子数３ないし１８のアルキニル基、１個又はそれ以上のＯＨ、ハロゲン原子又は基−Ｏ−Ｃ（Ｏ）−Ｒ5により置換された炭素原子数１ないし１８のア
ルキル基、炭素原子数３ないし１８のアルケニル基、炭素原子数３ないし１８のアルキニル基、少なくとも１個のＯ原子及び／又はＮＲ5基により中断された炭素原子数２ないし
１８のアルキル基、炭素原子数３ないし１２のシクロアルキル基又は炭素原子数６ないし
１０のアリール基、炭素原子数７ないし９のフェニルアルキル基、炭素原子数５ないし１０のヘテロアリール基、−Ｃ（Ｏ）−（炭素原子数１ないし１８のアルキル）基、−Ｏ−（炭素原子数１ないし１８のアルキル）基又は−ＣＯＯ（炭素原子数１ないし１８のアルキル）基を表し；及び
Ｒ9、Ｒ10、Ｒ11及びＲ12は独立して水素原子、フェニル基又は炭素原子数１ないし１
８のアルキル基を表す。］で表される安定性の遊離ニトロキシルラジカルを反応系に添加することを含む、塩化ビニル重合を連鎖停止する方法。
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
ポリマーを、溶融された形態で、ポリマーに基づき２５〜５００ｐｐｍの範囲の量で存在する遊離基開始剤と接触させることを含んでなる、ポリマーの残留遊離基重合性モノマー含量を減少させる方法。
【請求項２】
前記遊離基開始剤が５０〜３００ｐｐｍの範囲の量で存在する請求項１に記載の方法。
【請求項３】
前記遊離基開始剤が９０〜１５０ｐｐｍの範囲の量で存在する請求項２に記載の方法。
【請求項４】
前記遊離基開始剤が有機過酸化物、アゾ化合物、炭素−炭素開始剤、無機過酸化物及び光開始剤からなる群から選ばれる請求項１に記載の方法。
【請求項５】
前記遊離基開始剤が有機過酸化物である請求項４に記載の方法。
【請求項６】
前記遊離基開始剤がジ−ｔｅｒｔ−アミルペルオキシドである請求項５に記載の方法。
【請求項７】
溶融ポリマーを、遊離基開始剤と１０分以下の時間接触させる請求項１に記載の方法。
【請求項８】
前記ポリマーがエチレン−アクリル酸メチルインターポリマーである請求項１に記載の方法。
【請求項９】
残留遊離基重合性モノマー含量を減少させるプロセスを押出機中で実施する請求項１に記載の方法。
【請求項１０】
前記押出機が二軸スクリュー押出機である請求項９に記載の方法。
【請求項１１】
前記ポリマーがエチレン−アクリル酸メチルインターポリマーであり、前記溶融ポリマーを、遊離基開始剤と１０分以下の時間接触させ、且つ前記遊離基開始剤が前記ポリマーに基づき９０〜１５０ｐｐｍの量で存在するジ−ｔｅｒｔ−アミルペルオキシドである請求項１０に記載の方法。
【請求項１２】
前記溶融ポリマーを、遊離基開始剤と５秒〜１０分以下の範囲の時間接触させる請求項1に記載の方法。
【請求項１３】
前記溶融ポリマーを、ジ−ｔｅｒｔ−アミルペルオキシドと５秒〜１０分以下の範囲の時間接触させる請求項１１に記載の方法。